(57)【要約】【課題】通帳類に内蔵されたメモリ媒体に事前に書込まれているデータを読出して印刷データに反映することが可能となり、通帳類の偽変造防止性を向上させることができる通帳類印刷装置を提供する。【解決手段】あらかじめ通帳類固有番号が記録されている無線式ＩＣチップを内蔵した通帳類に対し当該通帳類所持者のカラー顔画像および個人情報等の文字情報などを熱転写印刷する通帳類印刷装置において、印刷前にＩＣチップにあらかじめ記録されている通帳類固有番号を読出し、この読出した通帳類固有番号を印刷データに反映させて印刷する。【選択図】      図３
2006281667.tif 000002
【特許請求の範囲】
【請求項１】
あらかじめ少なくとも固有の情報が記録されているメモリ媒体および印刷面を有する通帳類の前記メモリ媒体から前記通帳類固有の情報を読取る読取手段と、
この読取手段により読取られた通帳類固有の情報を含む所定の印刷データを生成する印刷データ生成手段と、
この印刷データ生成手段により生成された印刷データを前記通帳類の印刷面に対し印刷する印刷手段と、
を具備したことを特徴とする通帳類印刷装置。
【請求項２】
あらかじめ所定の情報が記録されているメモリ媒体および印刷面を有する通帳類の前記メモリ媒体から前記所定の情報を読取る読取手段と、
この読取手段により読取られた所定の情報に基づき当該通帳類のメモリ媒体が正常か異常かの判定を行なう判定手段と、
この判定手段による判定の結果、メモリ媒体が正常な場合にだけ所定の印刷データを生成する印刷データ生成手段と、
この印刷データ生成手段により生成された印刷データを前記通帳類の印刷面に対し印刷する印刷手段と、
を具備したことを特徴とする通帳類印刷装置。
【請求項３】
あらかじめ所定の情報が記録されているメモリ媒体および印刷面を有する通帳類の前記メモリ媒体から前記所定の情報を読取る読取手段と、
この読取手段により読取られた所定の情報に基づき目視困難なセキュリティ情報を生成するセキュリティ情報生成手段と、
このセキュリティ情報生成手段により生成されたセキュリティ情報を含む所定の印刷データを生成する印刷データ生成手段と、
この印刷データ生成手段により生成された印刷データを前記通帳類の印刷面に対し印刷する印刷手段と、
を具備したことを特徴とする通帳類印刷装置。
【請求項４】
前記印刷手段により前記通帳類の印刷面に対し印刷データを印刷した後、当該印刷データに関連する所定のデータを前記メモリ媒体に対し記録する記録手段をさらに具備したことを特徴とする請求項１から請求項３のいずれかに記載の通帳類印刷装置。
【請求項５】
あらかじめ少なくとも固有の識別情報が記録されているＩＣチップおよび印刷面を有する通帳類の前記ＩＣチップから前記識別情報を読取る読取手段と、
この読取手段により読取られた識別情報を含み、少なくとも当該通帳類所持者の顔画像および個人情報等の文字情報からなる印刷データを生成する印刷データ生成手段と、
この印刷データ生成手段により生成された印刷データを転写層を有する中間転写媒体の前記転写層に対し印刷する印刷手段と、
この印刷手段により印刷データを印刷された前記中間転写媒体の転写層を前記通帳類の印刷面に対し転写する転写手段と、
を具備したことを特徴とする通帳類印刷装置。
【請求項６】
あらかじめ所定の情報が記録されているＩＣチップおよび印刷面を有する通帳類の前記ＩＣチップから前記所定の情報を読取る読取手段と、
この読取手段により読取られた所定の情報に基づき当該通帳類のＩＣチップが正常か異常かの判定を行なう判定手段と、
この判定手段による判定の結果、ＩＣチップが正常な場合にだけ、少なくとも当該通帳類所持者の顔画像および個人情報等の文字情報からなる印刷データを生成する印刷データ生成手段と、
この印刷データ生成手段により生成された印刷データを転写層を有する中間転写媒体の前記転写層に対し印刷する印刷手段と、
この印刷手段により印刷データを印刷された前記中間転写媒体の転写層を前記通帳類の印刷面に対し転写する転写手段と、
を具備したことを特徴とする通帳類印刷装置。
【請求項７】
あらかじめ所定の識別情報が記録されているＩＣチップおよび印刷面を有する通帳類の前記ＩＣチップから前記所定の情報を読取る読取手段と、
この読取手段により読取られた所定の情報に基づき目視困難なセキュリティ情報を生成するセキュリティ情報生成手段と、
このセキュリティ情報生成手段により生成されたセキュリティ情報を含み、少なくとも当該通帳類所持者の顔画像および個人情報等の文字情報からなる印刷データを生成する印刷データ生成手段と、
この印刷データ生成手段により生成された印刷データを転写層を有する中間転写媒体の前記転写層に対し印刷する印刷手段と、
この印刷手段により印刷データを印刷された前記中間転写媒体の転写層を前記通帳類の印刷面に対し転写する転写手段と、
を具備したことを特徴とする通帳類印刷装置。
【請求項８】
前記転写手段により前記通帳類の印刷面に対し印刷データを印刷された前記中間転写媒体の転写層を転写した後、当該印刷データに関連する所定のデータを前記ＩＣチップに対し記録する記録手段をさらに具備したことを特徴とする請求項５から請求項７のいずれかに記載の通帳類印刷装置。
【発明の詳細な説明】
【技術分野】
【０００１】
本発明は、たとえば、個人認証用のカードや通帳あるいは金融機関における預金通帳などの通帳類、特に非接触通信可能な無線式ＩＣチップ（メモリ媒体）を内蔵した通帳類に対し当該通帳類所持者のカラー顔画像および個人情報等の文字情報などを熱転写印刷する通帳類印刷装置に関する。
【背景技術】
【０００２】
たとえば、無線式ＩＣチップを内蔵した通帳類に対し当該通帳類所持者のカラー顔画像および個人情報等の文字情報などを印刷する通帳類印刷装置が知られている（たとえば、特許文献１参照）。  
また、この種の通帳類印刷装置として、中間転写フィルムを用いる中間転写印刷方式の通帳類印刷装置が知られている（たとえば、特許文献２、特許文献３参照）。
【０００３】
中間転写フィルムを用いた中間転写印刷方式の通帳類印刷装置は、中間転写フィルムの受像層に対しカラー顔画像や文字情報などを印刷する印刷部と、印刷を終了した中間転写フィルムの受像層を通帳類の印刷面に対し熱転写する転写部と、無線式ＩＣチップに対しデータを書込む無線式ＩＣリーダライタとを有し、印刷部において中間転写フィルムの受像層上への印刷処理後に、当該中間転写フィルムの該当部分を転写部へ搬送し、転写部において中間転写フィルムの印刷処理した受像層を通帳類の印刷面上へ熱転写し、その後、無線式ＩＣリーダライタにおいて無線式ＩＣチップに対し所定データを書込む構成となっている。
【特許文献１】特開２００２−２１５４号公報
【特許文献２】特許第３４６５１１０号公報
【特許文献３】特開２００３−９４７０１号公報
【発明の開示】
【発明が解決しようとする課題】
【０００４】
上記したように、従来は通帳類に内蔵された無線式ＩＣチップに対しデータを書込むことを目的とした通帳類印刷装置のため、その構成としては、印刷部もしくは転写部の後段に無線式ＩＣリーダライタが配置されている。  
ここで、無線式ＩＣチップが内蔵された通帳類を取込み、印刷部で印刷する構成にて、印刷もしくは転写後に無線式ＩＣチップのデータを読出す場合、無線式ＩＣチップに事前に書込まれたデータを通帳類に印刷する印刷データに反映することができない。
【０００５】
また、印刷後に通帳類に内蔵された無線式ＩＣチップにデータを書込む際に、無線式ＩＣチップが破損など正常動作不可能な状態であることが判明した場合、通帳類に内蔵された無線式ＩＣチップは当初から破損していたのか、当該通帳類印刷装置の内部で破損したのかの判断ができない。  
また、印刷後に無線式ＩＣチップの破損が判明したことにより、印刷に使用した中間転写フィルムやインクリボンなどの印刷部材の無駄が発生してしまう。
【０００６】
さらに、通帳類に事前に印刷されている情報以外に、当該通帳類印刷装置で通帳類に印刷するデータを使用できないため、通帳類の印刷用に作成する印刷データは目視可能な情報からしかセキュリティ印刷を行なうことができない。
【０００７】
そこで、本発明は、通帳類に内蔵されたメモリ媒体に事前に書込まれているデータを読出して印刷データに反映することが可能となり、通帳類の偽変造防止性を向上させることができる通帳類印刷装置を提供することを目的とする。
【０００８】
また、本発明は、印刷前にメモリ媒体の読出し処理を行なうことにより、メモリ媒体が正常か異常かの確認を行なうことが可能となり、印刷前の印刷部材の無駄を減らすことが可能で、印刷される前の通帳類の無駄が少なくなる通帳類印刷装置を提供することを目的とする。
【０００９】
さらに、本発明は、メモリ媒体にあらかじめ記録されている情報を読出し、この読出した情報に基づき目視困難なセキュリティ情報を生成して印刷することにより、より大きくセキュリティ性を向上させた通帳類が得られる通帳類印刷装置を提供することを目的とする。
【課題を解決するための手段】
【００１０】
本発明の通帳類印刷装置は、あらかじめ少なくとも固有の情報が記録されているメモリ媒体および印刷面を有する通帳類の前記メモリ媒体から前記通帳類固有の情報を読取る読取手段と、この読取手段により読取られた通帳類固有の情報を含む所定の印刷データを生成する印刷データ生成手段と、この印刷データ生成手段により生成された印刷データを前記通帳類の印刷面に対し印刷する印刷手段とを具備している。
【００１１】
また、本発明の通帳類印刷装置は、あらかじめ所定の情報が記録されているメモリ媒体および印刷面を有する通帳類の前記メモリ媒体から前記所定の情報を読取る読取手段と、この読取手段により読取られた所定の情報に基づき当該通帳類のメモリ媒体が正常か異常かの判定を行なう判定手段と、この判定手段による判定の結果、メモリ媒体が正常な場合にだけ所定の印刷データを生成する印刷データ生成手段と、この印刷データ生成手段により生成された印刷データを前記通帳類の印刷面に対し印刷する印刷手段とを具備している。
【００１２】
さらに、本発明の通帳類印刷装置は、あらかじめ所定の情報が記録されているメモリ媒体および印刷面を有する通帳類の前記メモリ媒体から前記所定の情報を読取る読取手段と、この読取手段により読取られた所定の情報に基づき目視困難なセキュリティ情報を生成するセキュリティ情報生成手段と、このセキュリティ情報生成手段により生成されたセキュリティ情報を含む所定の印刷データを生成する印刷データ生成手段と、この印刷データ生成手段により生成された印刷データを前記通帳類の印刷面に対し印刷する印刷手段とを具備している。
【発明の効果】
【００１３】
本発明によれば、通帳類に内蔵されたメモリ媒体に事前に書込まれているデータを読出して印刷データに反映することが可能となり、通帳類の偽変造防止性を向上させることができる通帳類印刷装置を提供できる。
【００１４】
また、本発明によれば、印刷前にメモリ媒体の読出し処理を行なうことにより、メモリ媒体が正常か異常かの確認を行なうことが可能となり、印刷前の印刷部材の無駄を減らすことが可能で、印刷される前の通帳類の無駄が少なくなる通帳類印刷装置を提供できる。
【００１５】
さらに、本発明によれば、メモリ媒体にあらかじめ記録されている情報を読出し、この読出した情報に基づき目視困難なセキュリティ情報を生成して印刷することにより、より大きくセキュリティ性を向上させた通帳類が得られる通帳類印刷装置を提供できる。
【発明を実施するための最良の形態】
【００１６】
以下、本発明の実施の形態について図面を参照して説明する。  
図１は、本発明の実施の形態に係る印刷前の通帳類１の一例を示している。この図は、通帳類１の所定の頁を開いた状態で示していて、一方の頁２が印刷頁（印刷面）となっており、他方の頁３には当該通帳類１固有の識別情報として通帳固有番号４があらかじめ印刷されているものとする。
【００１７】
また、他方の頁３（たとえば、表紙）内には、メモリ媒体としての無線式ＩＣチップ５および当該ＩＣチップ５が外部装置（無線式ＩＣリーダライタ部）との間で電波を用いた無線による通信を行なうためのアンテナ６が埋設されている。ＩＣチップ５には、少なくとも当該通帳類１固有の識別情報として通帳固有番号があらかじめ記録されているものとする。
【００１８】
図２は、図１に示した通帳類１の印刷頁２に対し印刷を行なった後の通帳類１の一例を示している。印刷頁２は、顔画像や個人情報などが印刷される印刷エリア２ａと、光学的に機械読取りが適用される読取エリア２ｂを有していて、印刷エリア２ａには、たとえば、当該通帳類１の所持者の顔画像７がカラー印刷されているとともに、個人情報等の文字情報８が黒文字で印刷されている。そして、これら顔画像７や文字情報８が印刷された印刷エリア２ａは、所定パターンを有する透明ホログラム層を付与した保護膜（斜線部）９でオーバコートされている。なお、透明ホログラム層のパターンは、層下側に存在する顔画像７や文字情報８などの目視確認を妨げないようになっている。
【００１９】
読取エリア２ｂには、たとえば、固有の暗号化された当該通帳類１の所持者の顔画像、個人情報等の文字情報、当該通帳類１固有の識別情報として通帳固有番号などをバーコード化したバーコード情報（以降、これをセキュリティ情報と称する）１０などが黒色で印刷されている。そして、これらセキュリティ情報１０などが印刷された読取エリア２ｂは、無地の透明な保護膜でオーバコートされている。
【００２０】
図３は、本発明の実施の形態に係る通帳類印刷装置の構成を模式的に示すものである。この通帳類印刷装置は、図１に示した処理対象となる未使用の通帳類１を１つずつ送り出す通帳類取込み部１１、通帳類取込み部１１から送り出された通帳類１を受取って搬送する搬送路１２を有する。搬送路１２上には、通帳類１の送り方向に沿って、読取手段としての無線式のＩＣリーダライタ部１３、ページめくり部１４、印刷手段としての印刷装置部１５、記録手段としての無線式のＩＣリーダライタ部１６、および、通帳類排出部１７が順に設けられている。
【００２１】
通帳類取込み部１１は、閉じた状態の複数冊の通帳類１を同じ姿勢で重ねた状態で収容し、収容した最下端の通帳類１から順に１冊ずつ搬送路１２上に取出し、未使用の通帳類１を取込むように動作する。通帳類取込み部１１内に収容されている通帳類１は、図１に示したような未使用のものである。
【００２２】
無線式のＩＣリーダライタ部１３は、搬送路１２を介して通帳類１を挟持搬送する複数の搬送ローラ２１を有する。また、搬送路１２の上方に離間した位置、すなわち、搬送される通帳類１のＩＣチップ５が埋設された一方の表紙３の外面に対向する位置には、表紙３に埋設されたアンテナ６を介してＩＣチップ５との間で無線によるデータ通信を行なうための無線式ＩＣリーダライタ２２が配設されている。
【００２３】
ページめくり部１４は、無線式のＩＣリーダライタ部１３から搬送路１２上に送り出された通帳類１を正逆両方向に搬送する複数の搬送ローラ２１、通帳類１の所望するページを開くめくり機構２３、および、めくり機構２３によって開いた通帳類１のページに付与されているページマークを検出して通帳類１の開かれたページを認識するページ検知部（図示しない）を有する。
【００２４】
めくり機構２３は、搬送路１２の下方に配設されたバックアッププレート２４、バックアッププレート２４の揺動の中心に設けられた支点２５ａを中心に揺動自在である揺動軸２５、および、搬送路１２の上方に配設され、揺動軸２５の先端に回動自在に取付けられためくりローラ２６を有している。揺動軸２５が図示しないモータによって図中破線で示す位置に揺動されると、めくりローラ２６が揺動されるとともにバックアッププレート２４がそれに連動して揺動される。また、めくりローラ２６は、図示しないモータによって時計回りあるいは反時計回り方向に回転可能となっている。
【００２５】
このめくり機構２３によって通帳類１のページをめくる場合、まず、通帳類１をめくり機構２３内の所定位置まで搬送して停止させ、たとえば、図中破線で示すように揺動軸２５を図中左方向へ揺動してめくりローラ２６を通帳類１の上に押し当てる。このとき、揺動軸２５の揺動にともないバックアッププレート２４も揺動され、傾いたバックアッププレート２４によって通帳類１の背面が上方へ押し上げられる。
【００２６】
この状態で、通帳類１の搬送方向上流側のページに押し当てられためくりローラ２６を回転し、通帳類１の最上端のページのめくり動作を開始する。このめくり動作によって当該ページがせり上がるように膨らみ、ある程度めくられたところでめくりローラ２６の回転を停止する。さらに、この状態から揺動軸２５を図中実線で示す位置に戻した後、めくりローラ２６を再度回転し、当該ページをめくりローラ２６上に完全にめくり上げる。
【００２７】
そして、通帳類１をその搬送方向上流方向に搬送し、めくりローラ２６上にめくり上げたページを完全に開くとともに、開いたページのページマークを図示しないページ検知部により検知し、開いたページを確認する。これにより、通帳類１の所望するページを自動的に開くことができるとともに開いたページを認識できる。このようにして所望するページが開かれた通帳類１は印刷装置部１５へ搬送される。  
なお、めくり機構２３を上述した動作と逆に動作させることにより、通帳類１のページを逆方向にも開くことも可能となっている。
【００２８】
印刷装置部１５は、たとえば、図４に示すように、印刷手段として機能する印刷部３１と、搬送手段として機能する搬送機構３２、および、転写手段として機能する転写部３３を備えて構成されている。
【００２９】
印刷部３１は、サーマルヘッド３４、このサーマルヘッド３４に相対向配設され、正逆に自由回転するプラテンローラ３５などを備えている。サーマルヘッド３４とプラテンローラ３５との間には、たとえば、イエロー（Ｙ）、マゼンタ（Ｍ）、シアン（Ｃ）、ブラック（Ｋ）の各色の溶融インクをダンダラ状に有したインクリボン３６および中間転写フィルム３７が介在されていて、このようなインクリボン３６を用いてカラー画像や黒色文字の印刷が可能となっている。
【００３０】
サーマルヘッド３４は、所定の印刷位置において中間転写フィルム３７の印刷開始位置から印刷を行なうもので、発熱体をヘッドの端面に配置して構成された、いわゆる端面型サーマルヘッド、あるいは、発熱体をヘッドのコーナ近傍に配置して構成された、いわゆるニアエッジ型サーマルヘッドである。
【００３１】
プラテンローラ３５は、弾性材料、たとえば、硬質のゴム材料を巻き付けることによって構成されている。ゴム材料の硬度が上がるほどに微小ドットの再現性が向上するが、同時にサーマルヘッド３４とプラテンローラ３５との最適な位置関係を得ることが困難となる。このため、この実施の形態では、プラテンローラ３５は、その表面に硬度（「ＪＩＳ−Ｋ６２５３」による）が７５度以上、望ましくは８５度乃至９７度の範囲のゴム材料を巻き付けることによって構成されている。
【００３２】
また、研磨したゴム表面の平均表面粗さも、表面平滑性が上がるほどに微小ドットの再現性が向上する。このため、この実施の形態では、プラテンローラ３５は、その表面に平均表面粗さが中心線平均粗さＲａで１μｍ以下、望ましくは０．５μｍ以下のゴム材料を巻き付けることによって構成されている。
【００３３】
インクリボン３６は、その一端部が送出軸３８に巻き付けられ、その他端部が巻取軸３９に巻き付けられている。送出軸３８および巻取軸３９の少なくとも一方は、正逆両方向に独立に回転可能となっている。送出軸３８から送出されたインクリボン３６の中途部は、ガイドシャフト４０，４１に掛け渡されている。
【００３４】
このような熱溶融転写方式の特徴として、画像耐久性が高いこと、インク材料に機能性材料を適用することが比較的容易なこと（たとえば、蛍光顔料、アルミ蒸着薄膜等）などが挙げられ、偽造防止を目的とする印刷物に適している。なお、インクリボン３６としては、単色インクのみのリボンでもよく、また、紫外線によって発光する蛍光顔料インク、さらに、光沢面も持つ印刷用の金属薄膜（アルミ蒸着）層、あるいいは、印刷用のホログラム層などの機能を有するリボン材料を有していてもよい。
【００３５】
インクリボン３６のベースフィルム厚やインク層厚は、印刷ドット再現性に極めて重要なパラメータであり、インクリボンの総厚としては、３乃至２５μｍの範囲であり、望ましくは４乃至１０μｍの範囲内である。
【００３６】
搬送機構３２は、中間転写フィルム３７を所定の速度で搬送するもので、第１軸４２および第２軸４３を有していて、一方の軸から他方の軸に向かって中間転写フィルム３７を搬送可能である。すなわち、中間転写フィルム３７は、その一端側が印刷部３１の上部側に設けられた第２軸４３に巻き付けられ、その他端側が印刷部３１の下部側に設けられた第１軸４２に巻き付けられている。
【００３７】
第１軸第１軸４２および第２軸４３は、それぞれ正逆両方向に独立に回転駆動可能となっていて、印刷部３１における印刷位置および転写部３３における転写位置に向けて中間転写フィルム３７を所定の速度で搬送する。
【００３８】
第１軸４２が中間転写フィルム３７を巻取る巻取軸として機能する場合、第２軸４３が中間転写フィルム３７を送出する送出軸として機能する。このとき、中間転写フィルム３７は順方向Ａに搬送される（順搬送）。また、第２軸４３が中間転写フィルム３７を巻取る巻取軸として機能する場合、第１軸４２が中間転写フィルム３７を送出する送出軸として機能する。このとき、中間転写フィルム３７は逆方向Ｂに搬送される（逆搬送）。
【００３９】
また、搬送機構３２は、プラテンローラ３５と転写部３３との間に配設され、印刷部３１にて所定の情報を印刷された中間転写フィルム３７を所定の速度で搬送する搬送ローラ４４を備えている。搬送ローラ４４は、正逆両方向に独立に回転駆動可能であり、中間転写フィルム３７を所定の速度で搬送する。すなわち、中間転写フィルム３７の搬送速度は、主に搬送ローラ４４によって決まるため、たとえば、搬送ローラ４４の駆動はステッピングモータと減速機構とを組合わせて正確に行なわれる。
【００４０】
第２軸４３と第１軸４２との間では、中間転写フィルム３７の中途部がガイドシャフト４５，４６，４７に掛け渡され、ほぼ一定のテンションに維持されている。ガイドシャフト４７は、後述するヒートローラ４８を通過した後に中間転写フィルム３７と通帳類１とを剥離する剥離ガイドとして機能する。
【００４１】
中間転写フィルム３７を搬送する駆動力は、一般的にプラテンローラ３５に駆動機構を設けて駆動することにより発生することが多いが、上述したようなプラテンローラ３５の硬度と表面粗さとの関係から、中間転写フィルム３７とプラテンローラ３５との摩擦係数が上がらず、また、安定しない。
【００４２】
そこで、この実施の形態では、プラテンローラ３５の下流側に搬送ローラ４４を設けている。搬送ローラ４４は、硬度３０度乃至６０度の範囲のゴム材料を用いたローラである。中間転写フィルム３７は、搬送ローラ４４に対してできるだけ巻き付き角が大きい方が望ましい。この実施の形態では、９０°乃至１３０°の巻き付き角で巻き付ついている。
【００４３】
転写部３３は、ヒートローラ４８、ヒートローラ４８に相対向配設されたバックアップローラ４９などを備えている。ヒートローラ４８は、加熱用のヒータ５０および円周の一部が切り欠かれたカット面５１を備えているとともに、その外周面には厚さが１ｍｍ〜２ｍｍの耐熱性ゴムが被覆されている。そして、ヒートローラ４８とバックアップローラ４９との間には、中間転写フィルム３７が介在されている。
【００４４】
ここに、ヒートローラ４８は、直流サーボモータもしくはステッピングモータにより正確な一定速度で駆動可能である。回転自在なバックアップローラ４９は、ヒートローラ４８との間に所定の圧力がかかるように、図示しないコイルばねによって付勢されている。
【００４５】
ヒートローラ４８は、転写待機時においては、そのカット面５１を通帳類搬送路５２に対してほぼ並行に対向して配置されている。これにより、ヒートローラ４８とバックアップローラ４９との間には、通帳類１を配置可能な隙間が形成されている。このとき、中間転写フィルム３７は、ヒートローラ４８およびバックアップローラ４９に接触しないとともに、転写開始時に進入してくる通帳類１の表面にも接触しない位置に配置されることが望ましい。
【００４６】
ヒートローラ４８は、転写時にのみ回転し、中間転写フィルム３７に接触する。すなわち、中間転写フィルム３７への印刷動作に伴って、中間転写フィルム３７はヒートローラ４８およびバックアップローラ４９に接触することなく搬送される。転写時には、これらヒートローラ４８およびバックアップローラ４９は、転写位置（ヒートローラ４８とバックアップローラ４９とが接触している位置）において、中間転写フィルム３７と通帳類１の印刷面とを当該通帳類１の厚さによらず一定の圧力で圧着しつつヒータ５０からの熱によって加熱することにより、中間転写フィルム３７の転写開始位置から中間転写フィルム３７の受像層を通帳類１の印刷面に転写する。
【００４７】
テンション機構５３は、搬送ローラ４４と転写部３３との間に配設されている。テンション機構５３は、搬送機構３２によって搬送される中間転写フィルム３７に対して所定のテンションを付与する。すなわち、テンション機構５３は、搬送される中間転写フィルム３７にたるみが生じても、中間転写フィルム３７に対して所定のテンションを付与して、たるみを改善することができる。
【００４８】
通帳類搬送路５２は、第１搬送ローラ対５４、第２搬送ローラ対５５、および、第３搬送ローラ対５６を備えている。第１搬送ローラ対５４は、転写部３３よりも搬送方向上流側に配設されている。第２搬送ローラ対５５および第３搬送ローラ対５６は、転写部３３よりも搬送方向下流側に配設されている。
【００４９】
第１から第３搬送ローラ対５４〜５６は、印刷頁を開いた状態の通帳類１を転写部３３の転写位置まで搬送する。すなわち、第１から第３搬送ローラ対５４〜５６は、共に正方向に回転し、通帳類１の印刷頁における転写開始位置がヒートローラ４８による転写位置に整合するように通帳類１を搬送する。また、第１から第３搬送ローラ対５４〜５６は、共に正方向に回転し、転写部３３における転写動作が終了した通帳類１をさらに下流側に向けて搬送する。
【００５０】
インクリボン３６の供給路上には、インクリボン３６の有無を光学的に検知するための第１センサ５７が配設されている。また、中間転写フィルム３７の供給路上には、第２センサ５８および第３センサ５９がそれぞれ配設されている。第２センサ５８および第３センサ５９は、中間転写フィルム３７の有効領域の外側に配設されたバーマークを光学的に検知する。さらに、通帳類搬送路５２上には、第４センサ６０および第５センサ６１がそれぞれ配設されている。第４センサ６０および第５センサ６１は、送り込まれた通帳類１の有無を光学的に検知する。
【００５１】
無線式のＩＣリーダライタ部１６は、搬送路１２を介して通帳類１を挟持搬送する複数の搬送ローラ２１を有する。また、搬送路１２の上方に離間した位置、すなわち、搬送される通帳類１のＩＣチップ５が埋設された一方の表紙３の外面に対向する位置には、表紙３に埋設されたアンテナ６を介してＩＣチップ５との間で無線によるデータ通信を行なうための無線式ＩＣリーダライタ６２が配設されている。
【００５２】
図５は、中間転写フィルム３７の構成例を示している。中間転写フィルム３７は、たとえば、図５（ａ）に示すように、ベース層（フィルム状基材）７１の一方の表面に保護層を兼ねたホログラム層７２、および、画像が形成（印刷）される接着層を兼ねた受像層７３が順次積層されて構成されている。
【００５３】
ベース層７１は、たとえば、ＰＥＴ（ポリエチレンテレフタレート）フィルムによって形成される。ホログラム層７２は、たとえば、フェノキシ系樹脂、透明樹脂によるホログラム形成層、金属化合物の蒸着層からなる透明ホログラム層などを有して形成される。受像層７３は、たとえば、ポリエステル系樹脂によって形成される。
【００５４】
中間転写フィルム３７の３層のうち、ホログラム層７２および受像層７３は、転写層として機能し、転写部３３において、受像層７３上に印刷された画像とともに通帳類１の印刷頁上に転写される。通帳類１の印刷頁上に転写されたときに最上層に配置されるホログラム層７２は保護膜として機能する。
【００５５】
なお、中間転写フィルム３７は、図５（ａ）に示した構成に限らず、図５（ｂ）に示すように、ベース層７１とホログラム層７２との間に剥離層７４を配設した構成であってもよい。このような構成の場合、剥離層７４、ホログラム層７２および受像層７３が転写層として機能する。
【００５６】
また、中間転写フィルム３７は、図５（ｃ）に示すように、ベース層７１上に剥離層７４、保護層７５、ホログラム層７２および受像層７３をその順に積層した構成であってもよい。このような構成の場合、剥離層７４、保護層７５、ホログラム層７２および受像層７３が転写層として機能する。
【００５７】
さらに、中転写リボン３７は、紫外線によって発光する蛍光発色層などの機能層を設け、転写部において、受像層７３上に印刷された画像とともに被転写媒体上に転写されるよう構成してもよい。
【００５８】
図６は、上述した通帳類印刷装置の制御系統の構成を概略的に示すものである。  
通帳類印刷装置の制御系統は、データ入力制御部８１、および、データ入力制御部８１に通信回線を介して接続された印刷装置制御部８２を有している。
【００５９】
データ入力制御部８１は、本装置全体を制御する主制御部８３、制御プログラム等を記憶したメモリ８４、印刷装置制御部８２との間でデータの送受信を行なうインタフェイス部８５、オペレータによる各種操作入力を受付けるとともにオペレータに対する各種操作案内を表示する操作パネル８６、および、印刷する通帳類１の所有者の顔写真や通帳類届け出印に関する画像等を入力する画像入力部８７を有している。画像入力部８７として、たとえば、デジタルカメラやビデオカメラあるいは顔写真を読取るためのスキャナ装置などが考えられる。
【００６０】
印刷装置制御部８２は、データ入力制御部８１のインタフェイス部８５に接続された主制御部８８を有している。主制御部８８には、画像処理部８９、搬送制御部９０、印刷制御部９１、および、前述したＩＣリーダライタ部１３，１６がそれぞれ接続されている。
【００６１】
画像処理部８９には、当該画像処理部８９により生成された印刷データに基づいて印刷部３１のサーマルヘッド３４を駆動制御するヘッド制御部９２が接続されている。  
搬送制御部９０には、前述した通帳類取込み部１１、搬送路１２に沿って配設された複数の搬送ローラ２１および印刷部３１のプラテンローラ３５などを回転制御する搬送機構９３、前述したページめくり機構１４が接続されている。
【００６２】
印刷制御部９１には、中間転写フィルム３７を搬送する搬送機構３２、インクリボン３６を搬送する送出軸３８および巻取軸３９を観点駆動するインクリボン搬送機構９４、サーマルヘッド３４をプラテンローラ３５に対して接離させるヘッド移動機構９５、および、転写部３３のヒートローラ４８やバックアップローラ４９などを回転制御するヒートローラ回転機構９６がそれぞれ接続されている。
【００６３】
次に、上記のような構成において通帳類の印刷動作について説明する。  
まず、図１に示した未使用の通帳類１が通帳類取込み部１１によって搬送路１２上に取出され搬送される。搬送路１０上に取出された通帳類１は、ＩＣリーダライタ部１３へ送り込まれる。ＩＣリーダライタ部１３では、当該通帳類１に内蔵されたＩＣチップ５から、あらかじめ記録されている通帳類固有番号を含むデータを読取り、主制御部８８に送る。主制御部８８では、ＩＣチップ５から読取ったデータに基づき当該ＩＣチップ５が正常か異常かの判断を行なう。
【００６４】
この判断の結果、ＩＣチップ５が異常と判断された場合は以降の印刷処理を行なわず、当該通帳類１は通帳類排出部１７に排出される。  
上記判断の結果、ＩＣチップ５が正常と判断された場合、画像処理部８９において、ＩＣチップ５から読取った通帳類固有番号を含む所定の印刷データが生成される。たとえば、画像入力部８７により入力された当該通帳類所持者のカラー顔画像、および、操作パネル８６により入力された当該通帳類所持者の個人情報（文字情報）に対しＩＣチップ５から読取った通帳類固有番号を加えて処理を行なうことにより、通帳類固有番号を反映したセキュリティ情報を含む印刷データが生成される。この生成された印刷データはヘッド制御部９２へ送られる。
【００６５】
また、上記判断の結果、ＩＣチップ５が正常と判断された場合、当該通帳類１は、ページめくり部１４に送り込まれて所望のページが開かれる。本実施の形態では、ＩＣチップ５が組込まれた他方の頁３（たとえば、表紙）側を先頭にして通帳類１を搬送するため、頁３を残した全ての頁がめくられる。
【００６６】
このようにして所定のページが開かれた通帳類１は、その搬送方向上流方向に搬送されて印刷装置部１５へ送られる。印刷部１５では、印刷制御部９１およびヘッド制御部９２の制御のもと、ページめくり部１４から送られてきた通帳類１の印刷頁２に対し、画像処理部８９により生成された印刷データを印刷する。
【００６７】
すなわち、まず、印刷部３１では、ヘッド制御部９２が画像処理部８９により生成された印刷データに基づきサーマルヘッド３４を制御することにより、中間転写フィルム３７の接着層を兼ねた受像層７３の表面に、サーマルヘッド３４とインクリボン３６とによって顔画像や文字情報（セキュリティ情報を含む）等が印刷される。このとき、中間転写フィルム３７の印刷位置を制御するため、送出軸４３から繰り出された中間転写フィルム３７のバーマークをセンサ５８によって検知することで、所定の位置に印刷を行なう。
【００６８】
印刷されるデータはＹ，Ｍ，Ｃ，Ｋの４色重ね合わせによるカラー印刷である。これら複数色の重ね合わせ印刷の場合は、中間転写フィルム３７がサーマルヘッド３４を色数と同じ回数往復することで、重ね合わせ印刷が行なわれる。中間転写フィルム３７の搬送は、主にプラテンローラ３５によって速度が決まり行なわれるため、プラテンローラ３の駆動は例えば５相ステッピングモータに減速機構を組合わせることにより正確に行なわれる。また、記録されるデータは反転画像であるという特徴がある。
【００６９】
次に、転写部３３では、印刷部３１で印刷された中間転写フィルム３７の記録面（受像層７３）と通帳類１の印刷頁２とを重ね合わせて、ヒートローラ４８による加圧・加熱を行なうことにより、印刷データ（受像層７３）とホログラム層７２の転写を同時に行なう。このとき、中間転写フィルム３７と通帳類１との位置合わせは次のように行なわれる。
【００７０】
(1) 中間転写フィルム３７の該当転写エリアへの印刷完了後、中間転写フィルム３７はヒートローラ４８の方向に巻取られ、経路途中のセンサ５９によって中間転写フィルム３７の位置が把握される。その後、ヒートローラ４８の位置に対する中間転写フィルム３７の移動量が決められる。  
(2) 通帳類１は、転写される印刷頁２が前段のページめくり部１４によって開かれた状態で取込まれて、ヒートローラ４８に対して決められた位置に搬送される。図７（ａ），（ｂ）参照  
(3) 互いに位置決めが行なわれた中間転写フィルム３７と通帳類１の印刷頁２は、ヒートローラ４８の回転と共に合わされ、搬送と同時に加圧・加熱されることで、受像層７３とホログラム層７２の転写転写が行なわれる。図７（ｃ）参照  
(4) 転写が完了した通帳類１は、印刷頁２が開かれた状態のまま次のＩＣリーダライタ部１６へ送り込まれる。図７（ｄ）参照
図８は、中間転写フィルム3７から通帳類1の印刷頁２への転写動作を模式的に示している。ヒートローラ４８による加圧・加熱動作により、中間転写フィルム３７の受像層７３、受像層７３上に印刷されたデータ（顔画像や文字情報など）７６、および、ホログラム層７２が印刷頁２の表面に転写される。
【００７１】
このようにして、印刷を行なった後の通帳類１の一例を図２に示している。印刷頁２の印刷エリア２ａには、たとえば、当該通帳類１の所持者の顔画像７がカラー印刷されているとともに、個人情報等の文字情報８が黒文字で印刷されている。また、読取エリア２ｂには、たとえば、固有の暗号化された当該通帳類１の所持者の顔画像、個人情報等の文字情報、当該通帳類１固有の識別情報として通帳固有番号などをバーコード化したバーコード情報（セキュリティ情報）１０などが黒色で印刷されている。この例では、バーコード情報１０内のセキュリティ情報１０ａが、ＩＣチップ５から読取った通帳類固有番号を反映したセキュリティ情報となっている。
【００７２】
なお、図２の例では、セキュリティ情報１０が目視可能な状態で印刷した場合を示しているが、これに限らず、目視困難な状態、たとえば、セキュリティ情報１０（あるいは、セキュリティ情報１０ａのみでもよい）を蛍光インクにより印刷したり、極小文字に変換処理して印刷したり、電子すかしに変換処理して印刷したりしてもよい。このようにすれば、より一層高いセキュリティ効果が得られる。
【００７３】
最後に、ＩＣリーダライタ部１６では、印刷を終了した通帳類１に内蔵されたＩＣチップ５に対し、印刷頁２に印刷した印刷データに関連する所定のデータ、たとえば、当該通帳類１の所持者の顔画像や、氏名、印鑑画像、口座番号、金融機関名、支店名、個人認証コード、暗証番号などの個人情報等を電子データとして記録する。ＩＣチップ５に対する電子データの記録を終了した通帳類１は通帳類排出部１７に排出される。
【００７４】
なお、前記実施の形態では、通帳類１のＩＣチップ５にあらかじめ通帳類固有番号が記録されている場合について説明したが、その他に当該通帳類１の所持者の顔画像や個人情報等の文字情報もあらかじめ記録されていてもよい。その場合、印刷前にこれらの情報おも読取って印刷データに反映させることができる。
【００７５】
また、前記実施の形態では、印刷装置部１５の後段にもＩＣリーダライタ部１６を設け、印刷を終了した通帳類１に内蔵されたＩＣチップ５に対し、印刷頁２に印刷した印刷データに関連する所定のデータを記録する場合について説明したが、このＩＣリーダライタ部１６は必ずしも必要とせず、必要に応じて設置すればよい。
【図面の簡単な説明】
【００７６】
【図１】本発明の実施の形態に係る印刷前の通帳類の一例を示す模式図。
【図２】本発明の実施の形態に係る印刷後の通帳類の一例を示す模式図。
【図３】本発明の実施の形態に係る通帳類印刷装置の構成を概略的に示す模式図。
【図４】印刷装置部の構成を概略的に示す模式図。
【図５】中間転写フィルムの構成を示す模式図。
【図６】本発明の実施の形態に係る通帳類印刷装置の制御系統の構成を概略的に示すブロック図。
【図７】印刷装置部における転写動作を説明する模式図。
【図８】中間転写フィルムから通帳類の印刷頁への転写動作を模式的に示す側面図。
【符号の説明】
【００７７】
１…通帳類、２…印刷頁、４…通帳固有番号、５…ＩＣチップ（メモリ媒体）、６…アンテナ、７…顔画像、８…文字情報（個人情報等）、１０…セキュリティ情報、１１…通帳類取込み部、１２…搬送路、１３…ＩＣリーダライタ部（読取手段）、１４…ページめくり部、１５…印刷装置部（印刷手段）、１６…ＩＣリーダライタ部（記録手段）、３１…印刷部（印刷手段）、３２…搬送機構（搬送手段）、３３…転写部（転写手段）、３４…サーマルヘッド、３５…プラテンローラ、３６…インクリボン、３７…中間転写リボン（中間転写媒体）、４８…ヒートローラ、４９…バックアップローラ、７１…ベース層（フィルム状基材）、７２…ホログラム層、７３…受像層、８１…データ入力制御部、８２…印刷装置制御部、８８…主制御部、８９…画像処理部、９０…搬送制御部、９１…印刷制御部。
【図１】
2006281667.tif 000003
【図２】
2006281667.tif 000004
【図３】
2006281667.tif 000005
【図４】
2006281667.tif 000006
【図５】
2006281667.tif 000007
【図６】
2006281667.tif 000008
【図７】
2006281667.tif 000009
【図８】
2006281667.tif 000010